(57)【要約】【課題】蓋体によって封口される凹部の気密性を保ったまま、蓋体を閉める際に大きな荷重をかける必要がなく、閉じる際の操作性を向上させることができる。【解決手段】シール材に当接するリブの高さを、支軸から当該支軸に対向する蓋体の縁にかけて漸近的に低くなるように形成した。これにより、蓋体に対して小さな荷重を加えるだけで蓋体を閉じることができ、蓋体の開閉操作性を向上させることができる。また、蓋体によって封口されるディスクドライブを備えた凹部の気密性も確保することができる。【選択図】図４
2010086526.tif 000002
【特許請求の範囲】
【請求項１】
凹部の周囲を構成する開口部を備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記凹部は、前記蓋体本体が前記開口部を閉じた際に前記シール材に埋没可能な位置に形成されたリブを備え、
前記連結辺近傍に配された前記シール材と係合する前記リブは、前記凹部の深さ方向の高さが、前記支軸側辺から前記対向側辺に向かって漸近的に低くなるように形成されている、蓋開閉装置。
【請求項２】
凹部の周囲を構成する開口部を備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記連結辺近傍に配された前記シール材は、前記凹部の深さ方向の厚みが、前記支軸側辺から前記対向側辺にかけて漸近的に薄くなるように形成されている、蓋開閉装置。
【請求項３】
凹部の周囲を構成する開口部を備え、前記凹部内に配されたディスクドライブを備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺と対向する対向側辺と、前記支軸側辺及び前記対向側辺を連結する連結辺と、前記蓋体本体の周縁部及びその近傍に配されたシール材とを備え、
前記凹部は、前記蓋体本体が前記開口部を閉じた際に前記シール材に埋没可能な位置に形成されたリブを備え、
前記連結辺近傍に配された前記シール材と係合する前記リブは、前記凹部の深さ方向の高さが、前記支軸側辺から前記対向側辺に向かって漸近的に低くなるように形成されている、情報処理装置。
【請求項４】
凹部の周囲を構成する開口部を備え、前記凹部内に配されたディスクドライブを備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記連結辺近傍に配された前記シール材は、前記凹部の深さ方向の厚みが、前記支軸側辺から前記対向側辺にかけて漸近的に薄くなるように形成されている、情報処理装置。
【発明の詳細な説明】
【技術分野】
【０００１】
本発明は、蓋体を開閉自在に支持する蓋開閉装置に関する。本発明は、蓋開閉装置を備えた情報処理装置に関する。
【背景技術】
【０００２】
近年、ノートパソコンなどのモバイル機器は、モバイル性能向上に伴い、防水・防滴性能を訴求する製品も増加している。モバイル機器の防水・防滴性能を向上するためには、モバイル機器の筐体間の隙間や蓋体と筐体との間の隙間などに水分が侵入しないようする工夫が必要である。隙間に水分が侵入しないようにする工夫としては、例えば、隙間に発泡ウレタンなどのクッション性を有するシール材を配置し、そのシール材を筐体または蓋体で挟んで圧縮する構成がある。特開２００５−３０２９７６号公報は、防水構造を備える筐体を開示している。
【０００３】
図６は、従来の情報処理装置の斜視図である。図６に示すように、情報処理装置は、第１の筐体１０１と第２の筐体１０２とを備えている。第１の筐体１０１は、キーボード１０５やポインティングデバイス１０６などを備えている。第２の筐体１０２は、液晶ディスプレイ１０２ａを備えている。第１の筐体１０１と第２の筐体１０２とは、ヒンジ部１０３によって開閉自在に支持されている。第１の筐体１０１は、蓋体１０４を備えている。
【０００４】
図７は、蓋体１０４が開いた状態を示す。図７に示すように、蓋体１０４は、ディスク状媒体を着脱可能なディスクドライブ１１１を備えた凹部１１６を開閉することができる。ディスクドライブ１１１は、ターンテーブル１１３、光ピックアップ１１４などを備えている。ディスクドライブ１１１は、凹部１１６内に配されている。凹部１１６は、リブ１１２を備えている。ターンテーブル１１３は、ディスク状媒体の中央に形成された円形の孔部と嵌合することで、ディスク状媒体を保持することができる。光ピックアップ１１４は、ターンテーブル１１３に装着されたディスク状媒体の記録面に対してレーザー光を出射して、記録面に情報を記録することができる。光ピックアップ１１４は、記録面を反射した光を受光素子で受光することで、ディスク状媒体に記録された情報を読み取ることができる。
【０００５】
また、蓋体１０４の内面には、ゴムなどの弾性材で形成されたシール材１４１が配されている。リブ１１２は、蓋体１０４が図６に示す閉じた状態になった時にシール材１４１を圧縮変形させながらシール材１４１に埋没する。これにより、凹部１１６の気密性を向上させ、水分や埃などの異物がディスクドライブ１１１に付着するのを防いでいる。
【０００６】
図８は、蓋体１０４が開いた状態におけるノートパソコンの要部断面図である。図９は、蓋体１０４が閉じた状態におけるノートパソコンの要部断面図である。図８に示すようにリブ１１２は、ディスクドライブ１１１の底面１１１ａからの高さ寸法Ｈ１１が、蓋体１０４に対向する領域において、蓋体１０４の内面１０４ａの面方向にほぼ均一となるように形成されている。また、リブ１１２は、図９に示す閉塞状態において、シール材１４１の表面１４１ａに対して平行となるように形成されているため、シール材１４１に対するリブ１１２の埋没量は、蓋体１０４の内面１０４ａの面方向にほぼ均一となっている。
【先行技術文献】
【特許文献】
【０００７】
特開２００５−３０２９７６号公報
【発明の概要】
【発明が解決しようとする課題】
【０００８】
しかしながら上記従来の構成では、蓋体１０４を閉じる際、シール材１４１を圧縮させるために蓋体１０４に対して大きな荷重をかける必要があり、閉じる際の操作性が良いとは言えなかった。
【０００９】
本発明は、蓋体によって封口される凹部の気密性を保ったまま、蓋体を閉める際に大きな荷重をかける必要がなく、閉じる際の操作性を向上させることができる蓋開閉装置およびそれを備えた情報処理装置を実現することを目的とする。
【課題を解決するための手段】
【００１０】
この目的を達成するため、本発明の本質は、筐体に備える凹部の周囲を形成する開口部を、支軸回りに蓋体が閉塞する際に、蓋体に配されるシール材に対する凹部内に立設されるリブの埋没量を、支軸側から当該支軸に対向する蓋体の縁にかけて少なくする構成を有する蓋開閉装置である。また、本発明の本質は、この蓋開閉装置を備える情報処理装置である。
【００１１】
本発明の第１の蓋開閉装置は、凹部の周囲を構成する開口部を備えた筐体と、前記開口部を開閉可能でかつ前記筐体に支持された支軸を有する蓋体と、前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、前記凹部は、前記蓋体本体が前記開口部を閉じた際に前記シール材に埋没可能な位置に形成されたリブを備え、前記連結辺近傍に配された前記シール材と係合する前記リブは、前記凹部の深さ方向の高さが、前記支軸側辺から前記対向側辺に向かって漸近的に低くなるように形成されているものである。
【００１２】
本発明の第２の蓋開閉装置は、凹部の周囲を構成する開口部を備えた筐体と、前記開口部を開閉可能でかつ前記筐体に支持された支軸を有する蓋体と、前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、前記連結辺近傍に配された前記シール材は、前記凹部の深さ方向の厚みが、前記支軸側辺から前記対向側辺にかけて漸近的に薄くなるように形成されているものである。
【００１３】
本発明の第１の情報処理装置は、凹部の周囲を構成する開口部を備え、前記凹部内に配されたディスクドライブを備えた筐体と、前記開口部を開閉可能でかつ前記筐体に支持された支軸を有する蓋体と、前記蓋体は、前記開口部の少なくとも一部を覆うことができる蓋体本体と、前記支軸近傍の支軸側辺と、前記蓋体本体を介して前記支軸側辺と対向する対向側辺と、前記支軸側辺及び前記対向側辺を連結する連結辺と、前記蓋体本体の周縁部及びその近傍に配されたシール材とを備え、前記凹部は、前記蓋体本体が前記開口部を閉じた際に前記シール材に埋没可能な位置に形成されたリブを備え、前記連結辺近傍に配された前記シール材と係合する前記リブは、前記凹部の深さ方向の高さが、前記支軸側辺から前記対向側辺に向かって漸近的に低くなるように形成されているものである。
【００１４】
本発明の第２の情報処理装置は、凹部の周囲を構成する開口部を備え、前記凹部内に配されたディスクドライブを備えた筐体と、前記開口部を開閉可能でかつ前記筐体に支持された支軸を有する蓋体と、前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、前記連結辺近傍に配された前記シール材は、前記凹部の深さ方向の厚みが、前記支軸側辺から前記対向側辺にかけて漸近的に薄くなるように形成されているものである。
【発明の効果】
【００１５】
本発明により、蓋体によって封口される凹部の気密性を保ったまま、開閉時の荷重を軽減することができる。よって、閉じる際の操作性を向上させることができる。
【図面の簡単な説明】
【００１６】
【図１】本実施の形態における情報処理装置の外観を示す斜視図
【図２】本実施の形態における情報処理装置の外観を示す斜視図
【図３】第１の筐体における蓋体近傍の平面図
【図４】図２におけるＺ−Ｚ部の断面図
【図５】図１におけるＺ−Ｚ部の断面図
【図６】従来の情報処理装置の斜視図
【図７】従来の情報処理装置の斜視図
【図８】図７におけるＺ−Ｚ部の断面図
【図９】図６におけるＺ−Ｚ部の断面図
【発明を実施するための形態】
【００１７】
（実施の形態）
〔１．情報処理装置の構成〕
図１は、本実施の形態の情報処理装置の外観を示す斜視図である。図１は、情報処理装置の一例であるノートパソコンの第１の状態を示す。図２は、本実施の形態におけるノートパソコンにおいて蓋体が開いた状態を示す斜視図である。図３は、第１の筐体における蓋体近傍の平面図である。なお、本実施の形態では、情報処理装置の一例としてノートパソコンを挙げたが、携帯電話端末や携帯型ゲーム機などのように例えば情報媒体を着脱可能なドライブを内蔵した凹部を備え、その凹部を開閉可能な蓋体を備えた情報処理装置であればよい。
【００１８】
図１に示すように、ノートパソコンは、第１の筐体１と第２の筐体２とを備えている。第１の筐体１は、各種電気素子が実装された回路基板、情報処理回路、およびハードディスクドライブなどを内蔵している。第２の筐体２は、液晶ディスプレイ２ａを備えている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。また、第２の状態において第２の筐体と対向する第１の筐体の面を「上側」と定義すると、第１の筐体１の上面１ａにはキーボード５とポインティングデバイス６とを備えている。キーボード５は、各種文字の入力操作が可能である。ポインティングデバイス６は、液晶ディスプレイ２ａに表示されるカーソルを所望の位置へ移動する操作が可能である。なお、キーボード５の入力操作に基づき生成された情報信号や、ハードディスクドライブから出力された情報信号などは、情報処理回路で所定の処理を施し、例えば液晶ディスクプレイ２ａで表示する表示信号などに変換される。また、第１の筐体１の上面１ａには、凹部１６と、凹部１６を構成する開口部１７と、開口部１７を開閉可能な蓋体４を備えている。
【００１９】
蓋体４は、矢印Ｂに示す方向（図１）または矢印Ｃに示す方向（図２）へ回動可能に、第１の筐体１に支持されている。蓋体４は、図２に示すように第１の筐体１の凹部１６内に配されたディスクドライブ１１を、露出した状態または隠蔽した状態に移行することができる。「ディスクドライブ１１を露出した状態」とは、少なくともディスクドライブ１１に備わるターンテーブル１３にディスク状媒体２１を着脱可能な状態であり、蓋体４が凹部１６または開口部１７を開放した状態と等しい。「ディスクドライブ１１を隠蔽した状態」とは、少なくともターンテーブル１３にディスク状媒体２１を着脱できない状態であり、蓋体４が凹部１６または開口部１７を閉塞した状態に等しい。
【００２０】
図３に示すように、蓋体４は、支軸側辺４ｃ、対向側辺４ｄ、連結辺４ｅ、連結辺４ｆ、および蓋体本体４ｇを備えている。蓋体本体４ｇは、蓋体４が閉蓋状態になったときに、開口部１７の全体または一部を覆うことができる。蓋体本体４ｇは、支軸側辺４ｃ、対向側辺４ｄ、連結辺４ｅ、および連結辺４ｆで囲まれている。支軸側辺４ｃは、支軸４２の近傍に配されている。対向側辺４ｄと支軸側辺４ｃとは、蓋体本体４ｇを介して対向している。連結辺４ｅ及び４ｆは、支軸側辺４ｃと対向側辺４ｄとを連結している。連結辺４ｅと連結辺４ｆとは、蓋体本体４ｇを介して対向している。
【００２１】
ディスクドライブ１１は、ターンテーブル１３，光ピックアップ１４などを備えている。ディスクドライブ１１は、凹部１６内に配されている。凹部１６は、リブ１２を備えている。リブ１２は、凹部１６の底面１１ａに立設されている。ターンテーブル１３は、ディスク状媒体２１の中央に形成された円形の孔部２２と嵌合することで、ディスク状媒体２１を保持することができる。光ピックアップ１４は、ターンテーブル１３に装着されたディスク状媒体２１の記録面に対してレーザー光を出射して、記録面に情報を記録することができる。光ピックアップ１４は、ディスク状媒体２１の記録面に対してレーザー光を出射し、記録面を反射した光を受光素子で受光することで、ディスク状媒体２１に記録された情報を読み取ることができる。
【００２２】
〔２．蓋開閉装置の構成〕
図２に示すように、蓋体４の内面４ａには、シール材４１が配されている。シール材４１は、蓋体４の内面４ａにおける外周縁およびその近傍に配されている。本実施の形態では、シール材４１は、内面４ａにおける、支軸側辺４ｃ、対向側辺４ｄ、連結辺４ｅ、および連結辺４ｆに沿う位置に配置した。シール材４１としては、例えばゴムなどの弾性材や、発泡ウレタン、発泡ポリエチレンまたはシリコーンフォーム等の圧縮変形・復元性の発泡樹脂等が適用される、本実施の形態ではＪＩＳ  Ｋ６２５４規格に準拠した測定方法で２５％圧縮加重が０．０４０ＭＰａで、厚み１ｍｍの発泡シリコーンフォームを用いた。シール材４１は、図１に示すように蓋体４が開口部１７を閉塞する状態になった時に、リブ１２に当接または埋没する位置に配されている。リブ１２は、蓋体４が開口部１７を閉塞する状態になった時にシール材４１に当接または埋没することにより、ディスクドライブ１１の気密性を向上させ、水分や埃などの異物がディスクドライブ１１内に侵入するのを防いでいる。さらに、リブ１２をシール材４１に埋没させることにより、リブ１２の高さ寸法やシール材４１の厚さ寸法に多少の製造バラツキがあったとしても、ディスクドライブ１１の気密性を確実なものとすることができる。
【００２３】
図４は、図２に示すノートパソコンのＺ−Ｚ部の要部断面図である。図５は、図１に示すノートパソコンのＺ−Ｚ部の要部断面図である。なお、図４及び図５は、図面を明瞭に表記するために、第１の筐体１に内蔵されている電気回路基板などの図示は省略した。
【００２４】
図４及び図５に示すように、蓋体４は、支軸４２を軸に矢印Ｂまたは矢印Ｃに示す方向へ回動自在に、第１の筐体１に支持されている。蓋体４は、第１の筐体１の開口部１７を覆うことができる大きさを有する。蓋体４は、その内面４ａにおける縁部に沿った位置にシール材４１が配されている。
【００２５】
リブ１２は、図２に示すようにディスクドライブ１１の外周を囲むように形成されている。リブ１２は、蓋体４が開口部１７を閉塞している位置にある時に、その頂辺１２ａが蓋体４の内面４ａに対して非平行となるように形成されている。具体的には、図４に示すように、リブ１２のうち連結辺４ｅ及び４ｆの近傍に位置する部分は、凹部１５（後述）側（すなわち対向側辺４ｄ側）における底面１１ａからの高さ寸法Ｈ１が、支軸４２側（すなわち支軸側辺４ｃ側）における底面１１ａからの高さ寸法Ｈ２よりも、低くなるように形成されている。また、リブ１２における側面１ｂ側（すなわち対向側辺４ｄ側）の端部から支軸４２側の端部までの間の部分は、支軸４２側から凹部１５側に向かって漸近的に低くなるように形成されている。
【００２６】
なお、本実施の形態において、「支軸４２側」は、「支軸側辺４ｃ側」であることを含み、「支軸側辺４ｃ側」に換言することができる。また、「凹部１５側」及び「側面１ｂ側」は、「対向側辺４ｄ側」であることを含み、「対向側辺４ｄ側」に換言することができる。
【００２７】
蓋体４の内面４ａにおける対向側辺４ｄの近傍には、爪部４３が形成されている。爪部４３は、ディスクドライブ１１の底面１１ａに形成された凹部１５に係合することができる。爪部４３を凹部１５に係合させることにより、蓋体４は、開口部１７を閉じた状態で位置が保持される。
【００２８】
次に、蓋体４で開口部１７を閉じ、ディスクドライブ１１を隠蔽する際の動作について説明する。
【００２９】
まず、図４に示すように蓋体４が開いた状態では、シール材４１とリブ１２とは離間している。この状態から、蓋体４の上面４ｂを押圧して、蓋体４を支軸４２周りに矢印Ｃに示す方向へ回動させる。この時、リブ１２における支軸４２側の端部からシール材４１に当接し、リブ１２はシール材４１に埋没される。その後、さらなる蓋体４の矢印Ｃに示す方向への回動動作に伴って、シール材４１がリブ１２に対して側面１ｂ側に向かって徐々に埋没していき、シール材４１を圧縮変形させていく。
【００３０】
図５に示す位置まで蓋体４を回動させると、爪部４３と凹部１５とが係合する。この時、リブ１２とシール材４１とが全域に亘って当接し、リブ１２はシール材４１を圧縮変形して埋没している。これにより、ディスクドライブ１１の気密性が確保され、水分や埃などの異物が外部から侵入するのを防ぐことができる。
【００３１】
なお、本実施の形態では、リブ１２は、支軸４２側が最も高くなる（寸法Ｈ２）ように形成されているため、蓋体４が開口部１７を閉じた時のシール材４１に対するリブ１２の埋没量は、支軸４２側が最も大きくなる。したがって、蓋体４の矢印Ｃに示す方向への回動当初では、蓋体４に対する回動抵抗が大きい。しかし、リブ１２は、凹部１５側に向かって徐々に高さが低くなるように形成されているため、シール材４１に対するリブ１２の埋没量は凹部１５側に向かって徐々に小さくなる（寸法Ｈ１）。本実施の形態におけるディスクドライブ１１では、シール材４１に対するリブ１２の埋没量は、それぞれ支軸４２側の寸法Ｈ２＝０．６ｍｍ以上０．７ｍｍ以下、凹部１５側の寸法Ｈ１＝０ｍｍ以上０．１ｍｍ以下の範囲が好ましい。本実施の形態では、支軸４２側の寸法Ｈ２＝０．７ｍｍ、凹部１５側の寸法Ｈ１＝０．１ｍｍとした。
【００３２】
〔３．本実施の形態の蓋開閉装置と従来の蓋開閉装置との比較〕
図８及び図９に示すように、シール材１４１に対するリブ１１２の埋没量を蓋体１０４の内面１０４ａの面方向に一定とした構成において、蓋体１０４を閉じる際の操作性を確保するためには、シール材１４１に対するリブ１１２の埋没量を少なくすればよい。しかし、埋没量を少なくすると、ディスクドライブ１１１を備えた凹部１１６の気密性を確保できない場合がある。特に、ディスクドライブ１１１の底面１１１ａからのリブ１１２の高さ寸法Ｈ１１や、シール材１４１の厚さ寸法にバラツキが生じている場合、図９に示すように蓋体１０４の閉塞状態においてリブ１１２とシール材１４１との間に隙間が生じる可能性があり、ディスクドライブ１１１を備えた凹部１１６の気密性を確保することができない。このように、図８及び図９に示す蓋開閉装置では、ディスクドライブ１１１を備えた凹部１１６の気密性と蓋体１０４の閉塞時の操作性とを両立することが難しい。
【００３３】
また、図８及び図９に示すようにシール材１４１に対するリブ１１２の埋没量を内面１０４ａの面方向に一定にする蓋開閉装置は、図９に示すように蓋体１０４が開口部１１７を閉塞している状態において、蓋体１０４に対して矢印Ｂに示す方向に強い弾性復元力がかかる。したがって、爪部１４３と凹部１１５との係合部分や支軸１４２に強い負荷がかかり、最悪の場合は爪部１４３や支軸１４２が破損してしまうことがある。
【００３４】
特に、蓋体１０４は、ディスクドライブ１１１に対してディスク状媒体を装着または離脱する時以外、図５に示すように開口部１１７を閉塞している状態にあることが大半であるため、爪部１４３や支軸１４２に長期間にわたり強い負荷がかかり続ける。したがって、爪部１４３や支軸１４２を破損または蓋体１０４が変形してしまう可能性が高くなる。
【００３５】
これに対して、図４及び図５に示すように本実施の形態の蓋開閉装置では、支軸４２側におけるシール材４１に対するリブ１２の埋没量を、凹部１５側におけるシール材４１に対するリブ１２の埋没量よりも小さくした。さらに、図５に示すように蓋体４が開口部１７を閉塞している状態において、蓋体４にかかる弾性復元力を小さくした。これにより、蓋体４が開口部１７を閉塞している状態において、爪部４３や支軸４２にかかる負荷を低減することができる。したがって、爪部４３や支軸４２が破損または蓋体４が変形することを低減することができる。
【００３６】
また、本実施の形態の蓋開閉装置は、図５に示すように、蓋体４が開口部１７を閉塞している状態では、リブ１２の頂辺１２ａがシール材４１の表面４１ａに当接しているのみである。すなわち、リブ１２は、シール材４１に対して僅かに埋没しているだけである。したがって、蓋体４における回動抵抗は低くなっている。よって、爪部４３と凹部１５とを係合させる時点では、蓋体４を軽い力で押圧するだけでよい。
【００３７】
〔４．実施の形態の効果、他〕
本実施の形態によれば、シール材４１に当接するリブ１２の高さを、側面１ｂ側に向かって漸近的に低くなるように形成したことにより、蓋体４に対して小さな荷重を加えるだけで蓋体４を閉じることができ、蓋体４を閉じる際の操作性を向上させることができる。
【００３８】
また、蓋体４が開口部１７を閉じる状態になった時に、リブ１２がシール材４１に埋没しているため、蓋体４によって封口される凹部１６の気密性を確保することができる。
【００３９】
また、蓋体４が開口部１７を閉じる状態になった時に、リブ１２がシール材４１に埋没することにより蓋体４にかかるシール材４１の弾性復元力を小さくすることができるので、爪部４３と凹部１５との係合部分や支軸４２にかかる負荷を小さくすることができる。よって、爪部４３や支軸４２が破損することを低減することができる。
【００４０】
なお、本実施の形態では、蓋体４の回動動作に伴ってシール材４１に対するリブ１２の埋没量を変化させるために、リブ１２の高さを支軸４２側が最も高く、側面１ｂ側が最も低くなるように形成したが、リブ１２の高さを一定とし、シール材４１の厚さを変化させる構成としてもよい。この場合、シール材４１は、支軸４２から当該支軸４２に対向する蓋体４の縁（対向側辺４ｄ）にかけて漸近的に薄くなるように形成する。このような構成とすることで、本実施の形態と同様の効果を得ることができる。
【００４１】
また、本実施の形態では、リブ１２における凹部１５側の端部から支軸４２側の端部までの間の部分は、支軸４２側から凹部１５側に向かって漸近的に低くなるように形成したが、凹部１５側から支軸４２側に向かって漸近的に低くなるように形成してもよい。このような構成において、リブ１２における凹部１５側の高さ寸法を図４における寸法Ｈ１２とし、支軸４２側の高さ寸法を図４における寸法Ｈ１１とすることで、蓋体４が開口部１７を閉塞した状態において、シール材４１の弾性復帰力により蓋体４にかかる開蓋方向の力（矢印Ｂ）は、本実施の形態の構成とほとんど変わらない。したがって、本実施の形態と同様の効果を得ることができる。
【００４２】
なお、本実施の形態では、シール材４１として厚み１ｍｍの発泡シリコーンフォームを適用し、埋没量は支軸４２側で０．７ｍｍ、凹部１５近傍で０．１ｍｍとしたが、これらは適用する対象物の大きさ、蓋体４や支軸４２の機械的強度等に応じて適宜適正値に設定することができる。
【００４３】
また、本実施の形態では、ディスクドライブ１１を覆う蓋体４の構成について説明したが、蓋体で覆うことができる凹状のものであればディスクドライブに限らない。例えば、各種入出力端子を凹部内に備えてそれを開閉する蓋構造、または電池を収納可能な凹状の電池収納部を開閉する蓋構造にも適用可能である。すなわち、本実施の形態におけるディスクドライブ１１は、本発明の凹部の一例である。
【００４４】
また、本実施の形態における凹部１６は、本発明の凹部の一例である。本実施の形態における開口部１７は、本発明の開口部の一例である。本実施の形態における第１の筐体１は、本発明の筐体の一例である。本実施の形態における蓋体４は、本発明の蓋体の一例である。本実施の形態におけるリブ１２は、本発明のリブの一例である。本実施の形態における蓋体本体４ｇは、本発明の蓋体本体の一例である。本実施の形態における支軸側辺４ｃは、本発明の支軸側辺の一例である。本実施の形態における対向側辺４ｄは、本発明の対向側辺の一例である。本実施の形態における連結辺４ｅ，４ｆは、本発明の連結辺の一例である。
【００４５】
本実施の形態に関して、以下の付記を開示する。
【００４６】
（付記１）
凹部の周囲を構成する開口部を備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記凹部は、前記蓋体本体が前記開口部を閉じた際に前記シール材に埋没可能な位置に形成されたリブを備え、
前記連結辺近傍に配された前記シール材と係合する前記リブは、前記凹部の深さ方向の高さが、前記支軸側辺から前記対向側辺に向かって漸近的に低くなるように形成されている、蓋開閉装置。
【００４７】
（付記２）
凹部の周囲を構成する開口部を備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記連結辺近傍に配された前記シール材は、前記凹部の深さ方向の厚みが、前記支軸側辺から前記対向側辺にかけて漸近的に薄くなるように形成されている、蓋開閉装置。
【００４８】
（付記３）
凹部の周囲を構成する開口部を備え、前記凹部内に配されたディスクドライブを備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺と対向する対向側辺と、前記支軸側辺及び前記対向側辺を連結する連結辺と、前記蓋体本体の周縁部及びその近傍に配されたシール材とを備え、
前記凹部は、前記蓋体本体が前記開口部を閉じた際に前記シール材に埋没可能な位置に形成されたリブを備え、
前記連結辺近傍に配された前記シール材と係合する前記リブは、前記凹部の深さ方向の高さが、前記支軸側辺から前記対向側辺に向かって漸近的に低くなるように形成されている、情報処理装置。
【００４９】
（付記４）
凹部の周囲を構成する開口部を備え、前記凹部内に配されたディスクドライブを備えた筐体と、
前記開口部を開閉可能でかつ前記筐体に支持された支軸を有する蓋体と、
前記蓋体は、前記開口部の少なくとも一部を覆うことができる蓋体本体と、前記支軸近傍の支軸側辺と、前記蓋体本体を介して前記支軸側辺に対向する対向側辺と、前記支軸側辺及び前記対向側辺を連結する連結辺と、前記蓋体本体の周縁部及びその近傍に配されたシール材とを備え、
前記連結辺近傍に配された前記シール材は、前記凹部の深さ方向の厚みが、前記支軸側辺から前記対向側辺にかけて漸近的に薄くなるように形成されている、情報処理装置。
【産業上の利用可能性】
【００５０】
本発明の蓋開閉装置は、蓋体により開閉可能な凹部を備えた機器に有用である。本発明の蓋開閉装置は、ノートパソコンなどの情報処理装置に有用である。本発明の情報処理装置は、例えばノートパソコンに有用である。
【符号の説明】
【００５１】
１  第１の筐体
２  第２の筐体
４  蓋体
１１  ディスクドライブ
１２  リブ
４１  シール材
【図１】
2010086526.tif 000003
【図２】
2010086526.tif 000004
【図３】
2010086526.tif 000005
【図４】
2010086526.tif 000006
【図５】
2010086526.tif 000007
【図６】
2010086526.tif 000008
【図７】
2010086526.tif 000009
【図８】
2010086526.tif 000010
【図９】
2010086526.tif 000011